(57)【要約】【課題】自動車等の盗難防止用に使用する位置情報通知端末のバッテリの充電状態（残量）を監視し、電子メール等により位置情報通知システム利用者に位置情報通知端末のバッテリの充電残量不足を知らせ、バッテリの充電、交換等を促すことで、効果的な盗難対策が行える位置情報通知端末のバッテリ残量通知システムを提供することを目的とする。【解決手段】位置情報通知端末１でバッテリ１３のバッテリ残量をＣＰＵ１２で監視し、バッテリの充電残量不足を検出した場合、無線通信装置１１を介して、バッテリの充電残量不足情報４を監視センタ２へ送信する。バッテリの充電不足情報４を受信した監視センタ２は、位置情報通知システムの利用者３へバッテリ１３の充電残量不足を伝える電子メール５を送信する。利用者３は、ＰＣ３１や携帯端末３２により電子メール５を受信することで位置情報通知端末１のバッテリ１３の充電不足を知ることができる。【選択図】図１
2006338235.tif 000002
【特許請求の範囲】
【請求項１】
位置情報通知端末のバッテリの充電残量状態を検出する充電状態検出手段と、前記バッテリの充電残量不足を検出した場合、監視センタに前記位置情報通知端末のバッテリの充電残量不足の通知を行う無線通信手段と、前記位置情報通知端末の位置情報を監視するとともに、受信したバッテリの充電残量不足情報を位置情報通知システムの利用者に電子メールで通知を行う監視センタとからなる位置情報通知端末のバッテリ残量通知システム。
【請求項２】
位置情報通知端末のバッテリの充電残量状態を検出する充電状態検出手段と、定期的に監視センタへ前記位置情報通知端末のバッテリ充電状態の通知を行う無線通信手段と、受信したバッテリ充電状態から前記位置情報通知端末のバッテリの充電残量不足を検出した場合、位置情報通知システムの利用者に電子メールで通知を行う監視センタとからなる位置情報通知端末のバッテリ残量通知システム。
【請求項３】
位置情報通知端末のバッテリの充電残量状態を検出する充電状態検出手段と、監視センタからの前記位置情報通知端末のバッテリの充電残量状態の取得依頼の受信を行うとともに、バッテリの充電残量状態の取得依頼を受信した場合、前記監視センタへ前記位置情報通知端末のバッテリの充電残量状態の通知を行う無線通信手段と、受信したバッテリ充電残量情報から前記位置情報通知端末のバッテリの充電残量不足を検出した場合、位置情報通知システムの利用者に電子メールで通知を行う監視センタとからなる位置情報通知端末のバッテリ残量通知システム。
【請求項４】
前記充電状態検出手段は、バッテリの充電残量不足の検出閾値を可変とすることを特徴とする請求項１乃至請求項３記載の位置情報通知端末のバッテリ残量通知システム。
【請求項５】
前記監視センタは、バッテリの充電残量状態を定期的に位置情報通知システム利用者に通知することが可能であることを特徴とする請求項２または請求項３記載の位置情報通知端末のバッテリ残量通知システム。
【発明の詳細な説明】
【技術分野】
【０００１】
本発明は、ノートパソコンなどの携帯型情報処理装置や自動車の盗難対策用などに用いられる位置情報通知端末のバッテリ残量通知システムに関するものである。
【背景技術】
【０００２】
従来、ノートパソコンなどの携帯型情報処理装置は、高機能であり内蔵する記憶装置に大量の情報が保存されており、中には機密情報も含まれていることがあった。近年、さらに装置の小型軽量化が進み、容易に持ち運べるため盗難にあうことが少なくなかった。
【０００３】
このため、有効な盗難対策が種々考えられている（例えば特許文献１参照）。このような盗難対策システムにおいては、携帯型情報処理装置にＧＰＳ受信装置を内蔵させ、携帯型情報処理装置の位置情報を送信できるようにしていた。また、この位置情報通知機能を自動車などの盗難対策にも応用し、盗難対策用端末として搭載するようにすれば、自動車本体に内蔵させる（例えば特許文献２参照）よりも容易に位置情報を送信することができる。そして、盗難監視センタが定期的に携帯型情報処理装置や自動車などの被盗難対策物の位置情報を取得し、盗難発生後に盗難監視センタから盗難対策システム利用者に盗難発生、被盗難対策物の位置を通知する、または、盗難発生後に盗難対策システム利用者から盗難監視センタに被盗難対策物の位置の取得依頼を行うことで、盗難後に被盗難対策物の位置を把握することができる。
【特許文献１】特開２００３−２３４８２８号公報
【特許文献２】特開２００３−２４２５７８号公報
【発明の開示】
【発明が解決しようとする課題】
【０００４】
上記のような盗難対策システムにおいて、通常、外出先では携帯型情報処理装置はバッテリ駆動されており、また、自動車内の盗難対策用端末もバッテリ駆動されるため、定期的にバッテリの充電、交換を行わなければ、効果的に盗難対策システムを利用することができない。
【０００５】
しかしながら、上記従来の構成では、携帯型情報処理装置や自動車などから離れた状態で携帯型情報処理装置や自動車内の盗難対策用端末（以下、これらを位置情報通知端末と称する）のバッテリ残量を知る手段がないので、携帯型情報処理装置や自動車などの盗難が発生した場合にバッテリ残量不足のため、盗難対策システム（以下、位置情報通知システムと称する）の効果を発揮できないという課題を有していた。
【０００６】
本発明は、上記従来の課題を解決するもので、位置情報通知端末のバッテリ充電状態（残量）を監視し、電子メール等により位置情報通知システム利用者に位置情報通知端末のバッテリの充電残量不足を知らせ、バッテリの充電、交換等を促すことで、効果的な盗難対策が行える位置情報通知端末のバッテリ残量通知システムを提供することを目的とする。
【課題を解決するための手段】
【０００７】
上記従来の課題を解決するために、本発明の位置情報通知端末のバッテリ残量通知システムは、位置情報通知端末のバッテリ充電残量状態を検出する充電状態検出手段と、充電状態検出手段により位置情報通知端末のバッテリの充電残量不足を検出した場合、監視センタに位置情報通知端末のバッテリ充電残量不足の通知を行う無線通信手段と、監視センタで受信したバッテリ充電残量不足情報を位置情報通知システムの利用者に電子メール等で通知を行う通信手段を有し、位置情報通知システム利用者に位置情報通知端末のバッテリ充電残量不足の通知を行う。
【発明の効果】
【０００８】
本発明の位置情報通知端末のバッテリ残量通知システムによれば、位置情報通知システム利用者が位置情報通知端末のバッテリの充電残量不足を知ることができ、タイミングよく位置情報通知端末のバッテリの充電、交換を行え、位置情報通知システムを効果的にすることができる。
【発明を実施するための最良の形態】
【０００９】
以下本発明を実施するための最良の形態について、図面を参照しながら説明する。
【００１０】
（実施の形態１）
図１は、本発明の実施の形態１における位置情報通知端末のバッテリ残量通知システムの構成図である。
【００１１】
図１において、バッテリ残量通知システムは、ＧＰＳ受信装置を内蔵する位置情報通知端末１、位置情報通知端末１の位置情報を監視する監視センタ２、位置情報通知システム利用者３、携帯型情報処理装置や自動車などの被盗難対策物６とから構成される。位置情報通知端末１は、被盗難対策物６に内蔵あるいは搭載され、位置情報通知端末１を駆動するバッテリの充電残量不足を検出した場合、監視センタ２にバッテリの充電残量不足の通知を行うもので、無線通信装置１１、ＣＰＵ（制御装置）１２、バッテリ１３を備える。ＣＰＵ１２は、バッテリ１３の充電残量を監視し、充電残量不足を検出した場合、無線通信装置１１を介して、無線でバッテリの充電残量不足情報４の送信制御を行う。
【００１２】
監視センタ２は、位置情報通知端末１の位置情報とともに受信したバッテリの充電残量不足情報４を基にバッテリの充電残量通知電子メール５の作成を行い、位置情報通知システム利用者３に作成された電子メール５の送信を行う。
【００１３】
位置情報通知システム利用者３は、ＰＣ（パーソナルコンピュータ）３１や携帯端末（携帯電話、ＰＤＡ等）３２などの無線あるいは有線の電子メール受信可能端末を介し、監視センタ２からのバッテリの充電残量通知電子メール５の受信を行う。
【００１４】
図２は、本発明の実施形態１における位置情報通知端末１のバッテリ１３の充電残量通知動作を示すフローチャートである。図２において、まず、位置情報通知端末１を使用するに当たり電源が投入される（ステップＡ１）。次に、位置情報通知端末１のバッテリ１３の充電残量を取得する（ステップＡ２）。バッテリ１３の充電残量が取得されたら、バッテリ１３の充電残量不足であるかどうかのチェックを行う（ステップＡ３）。その結果、バッテリ１３の充電残量が不足していない場合はバッテリ１３の充電残量取得処理（ステップＡ２）へ移行する。バッテリ１３の充電残量が不足している場合は監視センタ２へバッテリ１３の充電残量不足を通知するためのメッセージ（バッテリの充電残量不足情報４）を送信する（ステップＡ４）。
【００１５】
かかる構成によれば、位置情報通知システム利用者３は、監視センタ２からバッテリの充電残量通知電子メール５を受信することにより、タイミングよく位置情報通知端末１のバッテリ１３を充電、交換することが可能となり、位置情報通知システムの効果を維持することができる。
【００１６】
（実施の形態２）
図１は、本発明の実施の形態２における位置情報通知端末のバッテリ残量通知システムの構成図で、実施の形態１で用いたものである。
【００１７】
ここでは、前記実施の形態１と異なる部分のみ説明する。位置情報通知端末１は、定期的に位置情報通知端末１からバッテリ１３の充電残量不足情報４を監視センタ２に送信を行う。監視センタ２で位置情報通知端末１のバッテリ１３の充電残量を監視し、位置情報通知システム利用者３に作成された電子メール５の送信を行う。
【００１８】
実施の形態１では、位置情報通知端末１でバッテリ１３の充電残量の監視を行うが、実施の形態２では監視センタ２でバッテリの充電残量の監視を行う点が異なる。
【００１９】
かかる構成によれば、実施の形態１と同様、位置情報通知システム利用者３は、監視センタ２からバッテリ１３の充電残量通知電子メール５を受信することにより、タイミングよく位置情報通知端末１のバッテリ１３を充電、交換することが可能となり、位置情報通知システムの効果を維持することができる。
【００２０】
（実施の形態３）
図３は、本発明の実施の形態３における位置情報通知端末のバッテリ残量通知システムの構成図である。
【００２１】
ここでは、前記実施の形態２と異なる部分のみ説明する。監視センタ２は、定期的に位置情報通知端末１に対してバッテリ１３の充電残量状態の取得依頼メッセージ７の送信を行う。無線通信装置１１でバッテリ１３の充電残量状態の取得依頼メッセージ７を受信後、ＣＰＵ１２はバッテリ１３からバッテリの充電残量情報を取得し、無線通信装置１１を介して監視センタ２にバッテリ１３の充電残量情報４の送信を行う。
【００２２】
実施の形態２では、自発的に位置情報通知端末１から監視センタ２へバッテリ１３の充電残量情報の送信を行うが、実施の形態３では監視センタ２からバッテリ１３の充電残量の取得処理を行う点が異なる。
【００２３】
図４は、本発明の実施形態３における監視センタ２のバッテリ１３の充電残量通知動作を示すフローチャートである。図４において、まず、監視センタ２は位置情報通知端末１へバッテリの充電残量状態の取得依頼メッセージ７を送信する（ステップＢ１）。次に、位置情報通知端末１からバッテリ１３の充電残量状態情報を取得する（ステップＢ２）。バッテリ１３の充電残量が取得されたら、バッテリ１３の充電残量不足であるかどうかのチェックを行う（ステップＢ３）。その結果、バッテリ１３の充電残量が不足していない場合はバッテリの充電残量状態情報取得処理（ステップＢ２）へ移行する。バッテリ１３の充電残量が不足している場合は、位置情報通知システム利用者３へバッテリ１３の充電残量不足を通知するための電子メール５を送信する（ステップＢ４）。
【００２４】
かかる構成によれば、実施の形態１および実施の形態２と同様、位置情報通知システム利用者３は、バッテリ１３の充電残量通知電子メール５を受信することにより、タイミングよく位置情報通知端末１のバッテリ１３を充電、交換することが可能となり、位置情報通知システムの効果を維持することができる。
【００２５】
なお、これらの実施の形態では、被盗難対策物の位置情報を監視する監視センタ２が、位置情報通知端末のバッテリ１３の充電残量も監視し、通知を行うようにしたが、これを分けて他の監視センタが行うようにしてもよい。
【産業上の利用可能性】
【００２６】
本発明にかかる位置情報通知端末のバッテリ残量通知システムは、タイミングよく位置情報通知端末のバッテリの充電、交換を行え、位置情報通知システムを効果的にすることができるという効果を有し、ノートパソコンなどの携帯型情報処理装置や自動車の盗難対策用などに用いられる位置情報通知端末等として有用である。
【図面の簡単な説明】
【００２７】
【図１】本発明の実施形態１、実施形態２における位置情報通知端末のバッテリ残量通知システムの構成図
【図２】本発明の実施形態１における位置情報通知端末のバッテリ残量通知動作を示すフローチャート
【図３】本発明の実施形態３における位置情報通知端末のバッテリ残量通知システムの構成図
【図４】本発明の実施形態３における盗難監視センタ２のバッテリ残量通知動作を示すフローチャート
【符号の説明】
【００２８】
１  位置情報通知端末
２  監視センタ
３  位置情報通知システム利用者
４  バッテリの充電残量情報
５  バッテリの残量通知電子メール
６  被盗難対策物
７  バッテリの充電残量状態の取得依頼メッセージ
１１  無線通信装置
１２  ＣＰＵ（制御装置）
１３  バッテリ
３１  ＰＣ（パーソナルコンピュータ）
３２  携帯端末（携帯電話、ＰＤＡ等）
【図１】
2006338235.tif 000003
【図２】
2006338235.tif 000004
【図３】
2006338235.tif 000005
【図４】
2006338235.tif 000006